(57)【要約】  【課題】表示装置の組立工程を容易としつつ、自由な形状デザインを可能とする表示装置の提供  【解決手段】  本発明に係る表示装置は、片面に表示画面が設けられた表示部材、前記表示部材を第１の回転軸を中心に回動可能に支持するアーム部材、前記アーム部材を第２の回転軸を中心に回動可能に支持する台部材、一端が前記台部材に固定される弾性部材、前記弾性部材の前記台部材に固定される一端とは異なる他端と接続される第１の端部、及び、前記第１の端部から前記第２の回転軸を経由して前記アーム部材に固定される第２の端部を有するワイヤ部材を有する。  このため、弾性部材をアーム部材ではなく台部材に設けることができるので、表示装置の製造工程を容易なものとすることができる。また、アーム部材の形状を細くできる。さらに、アーム部材を自由な形状とすることができる。【選択図】    図１
2008256779.tif 000002
【特許請求の範囲】
【請求項１】
片面に表示画面が設けられた表示部材、
前記表示部材を第１の回転軸を中心に回動可能に支持するアーム部材、
前記アーム部材を第２の回転軸を中心に回動可能に支持する台部材、
一端が前記台部材に固定される弾性部材、
前記弾性部材の前記台部材に固定される一端とは異なる他端と接続される第１の端部、及び、前記第１の端部から前記第２の回転軸を経由して前記アーム部材に固定される第２の端部を有するワイヤ部材を有する表示装置。
【請求項２】
片面に表示画面が設けられた表示部材、
前記表示部材を第１の回転軸を中心に回動可能に支持する支持部材、
前記支持部材を第２の回転軸を中心に回動可能に支持する台部材、
前記台部材に設けられる弾性部材、
前記弾性部材と前記支持部材とを連結する連結部材であって、前記支持部材について、前記弾性部材の弾性力に基づく前記第２の回転軸を中心とする当該支持部材の回転と、前記表示部材に対する重力に基づく前記第２の回転軸を中心とする当該支持部材の回転とが対向するように、前記弾性部材と前記支持部材とを連結するもの、
を有する表示装置。
【請求項３】
請求項２に係る表示装置において、
前記連結部材は、一端において前記弾性部材に固定され、他の一端において、前記支持部材に固定され、また、前記第２の回転軸を介して前記弾性部材と前記支持部材とを連結する表示装置。
【請求項４】
請求項２又は請求項３に係る表示装置のいずれかにおいて、
前記弾性部材は、バネである表示装置。
【請求項５】
請求項４に係る表示装置において、
前記弾性部材は、コイルバネである表示装置。
【請求項６】
請求項２〜請求項５に係る表示装置のいずれかにおいて、
前記弾性部材が複数存在する表示装置。
【請求項７】
請求項２〜請求項６に係る表示装置のいずれかにおいて、
前記連結部材は、糸状形状を有する表示装置。
【請求項８】
請求項７に係る表示装置において、
前記連結部材は、ワイヤである表示装置。
【請求項９】
請求項２〜請求項８に係る表示装置のいずれかにおいて、
前記連結部材が複数存在する表示装置。
【請求項１０】
請求項９に係る表示装置において、
前記支持部材が複数存在する表示装置。
【請求項１１】
請求項２〜請求項１０に係る表示装置のいずれかにおいて、
前記支持部材が回転しようとする際には、当該支持部材の回転を防止する方向へ回転防止力を発生する回転防止部材、
を有する表示装置。
【請求項１２】
請求項１１に係る表示装置において、
前記回転防止部材は、摩擦によって回転防止力を発生する表示装置。
【請求項１３】
請求項１１又は請求項１２に係る表示装置のいずれかにおいて、
前記回転防止部材は、前記第２の回転軸において前記摩擦による回転防止力を発生する表示装置。
【発明の詳細な説明】
【技術分野】
【０００１】
本発明は、表示装置であって、特に、弾性部材を台部材に有するものに関する。
【背景技術】
【０００２】
従来の表示装置であるアーム装置を図９を用いて説明する。アーム装置１０３は、図９に示されるように天板１０２に対して垂直軸周りに回転自在に取り付けるための固定基部１０４と、基端が固定基部１０４に設けられる水平軸１０５周りに回転自在に取り付けられる第１アーム１０６と、基端がこの第１アーム１０６の先端に設けられる水平軸１０７周りに回転自在に取り付けられ、先端に固定部材１０８を介してディスプレイ１０１が角度変更可能に取り付けられている第２アーム１０９と、基端が固定基部１０４の水平軸１１０周りに回転自在に取り付けられ、先端が水平軸１１１を介して第２アーム１０９の所定箇所に取り付けられた支持アーム１１２とから構成されている。
【０００３】
支持アーム１１２は、ロック機構付きのガススプリング１１８により構成されており、基体部１１８ａと、この基体部１１８ａ内に伸縮自在に嵌挿された伸縮棒１１８ｂとからなり、この基体部１１８ａの基端が、水平軸１１０に、また、伸縮棒１１８ｂの先端が、取付部材１１８ｃを介して水平軸１１１に対して回転自在に取り付けられている。
【０００４】
ガススプリング１１８は、カバー体１１９によって覆われている。このカバー体１１９は、２枚の側板１１９ａ、１１９ａと背板１１９ｂとから後面が開口するように形成されており、この基端は、円弧状に形成された長穴１２０を介して水平軸１１０に対して回転自在に取り付けられているとともに、先端は、第１アーム１０６と第２アーム１０９とを連結する水平軸１０７に対して取り付けられている。
【０００５】
【特許文献１】特開２０００−１７２１８３
【発明の開示】
【発明が解決しようとする課題】
【０００６】
従来の表示装置１０３には、次のような問題点がある。表示装置１０３では、ガススプリング１１８がカバー体１１９内に収まるような構成となっている。このため、表示装置１０３の製造工程において、ガススプリング１１８をカバー体１１９内に収めるという工程が生じ、結果的に製造工程が複雑になる、という問題点がある。
【０００７】
また、ガススプリング１１８をカバー体１１９内に収めるため、カバー体１１９の形状はガススプリング１１８に合わせた形状、つまり直方体状とせざるを得ない。つまり、カバー体１１９の形状に選択の余地はなく、結果的に、表示装置１０３の形状のデザインに制約が生じてしまう、という問題点がある。
【０００８】
そこで、本発明では、表示装置の組立工程を容易としつつ、自由な形状デザインを可能とする表示装置の提供を目的とする。
【課題を解決するための手段】
【０００９】
本発明に関する課題を解決するための手段及び発明の効果を以下に示す。
【００１０】
本発明に係る表示装置は、片面に表示画面が設けられた表示部材、前記表示部材を第１の回転軸を中心に回動可能に支持するアーム部材、前記アーム部材を第２の回転軸を中心に回動可能に支持する台部材、一端が前記台部材に固定される弾性部材、前記弾性部材の前記台部材に固定される一端とは異なる他端と接続される第１の端部、及び、前記第１の端部から前記第２の回転軸を経由して前記アーム部材に固定される第２の端部を有するワイヤ部材を有する。
【００１１】
このため、弾性部材をアーム部材ではなく台部材に設けることができるので、表示装置の製造工程を容易なものとすることができる。また、アーム部材の形状を細くできる。さらに、アーム部材を自由な形状とすることができる。
【００１２】
本発明に係る表示装置は、片面に表示画面が設けられた表示部材、前記表示部材を第１の回転軸を中心に回動可能に支持する支持部材、前記支持部材を第２の回転軸を中心に回動可能に支持する台部材、前記台部材に設けられる弾性部材、前記弾性部材と前記支持部材とを連結する連結部材であって、前記支持部材について、前記弾性部材の弾性力に基づく前記第２の回転軸を中心とする当該支持部材の回転と、前記表示部材に対する重力に基づく前記第２の回転軸を中心とする当該支持部材の回転とが対向するように、前記弾性部材と前記支持部材とを連結するものを有する。
【００１３】
このため、弾性部材を支持部材ではなく台部材に設けることができるので、表示装置の製造工程を容易なものとすることができる。また、支持部材の形状を細くできる。さらに、支持部材を自由な形状とすることができる。
【００１４】
本発明に係る表示装置では、前記連結部材は、一端において前記弾性部材に固定され、他の一端において、前記支持部材に固定され、また、前記第２の回転軸を介して前記弾性部材と前記支持部材とを連結する。
【００１５】
これにより、前記弾性部材の弾性力による前記第２の回転軸を中心とする当該支持部材の回転と、前記表示部材の重力による前記第２の回転軸を中心とする当該支持部材の回転とが対向するように、前記弾性部材と前記支持部材とを容易に連結することができる。
【００１６】
本発明に係る表示装置では、前記弾性部材は、バネである。これにより、容易に弾性部材を台部材に設けることができる。
【００１７】
本発明に係る表示装置では、前記弾性部材は、コイルバネである。これにより、容易に弾性部材を台部材に設けることができる。
【００１８】
本発明に係る表示装置では、前記弾性部材が複数存在する。これにより、表示画面の重さに合わせて弾性部材の数を選択することが可能となる。
【００１９】
本発明に係る表示装置では、前記連結部材は、糸状形状を有する。これにより、容易に弾性部材と支持部材とを連結することができる。
【００２０】
本発明に係る表示装置では、前記連結部材は、ワイヤである。これにより、容易かつ安価に弾性部材と支持部材とを連結することができる。
【００２１】
本発明に係る表示装置では、前記連結部材が複数存在する。これにより、弾性部材の弾性力を支持部材に伝達するにあたり、各連結部材にかかる力のバランスを考慮した上で、連結部材の数を選択することが可能となる。
【００２２】
本発明に係る表示装置では、前記支持部材が複数存在する。これにより、支持部材にかかる力を考慮した上で支持部材の数を決定できるので、各支持部材に生ずる捻れを修正することができる。
【００２３】
本発明に係る表示装置は、前記支持部材が回転しようとする際には、当該支持部材の回転を防止する方向へ回転防止力を発生する回転防止部材を有する。これにより、表示画面を所望の位置に容易に固定することができる。
【００２４】
本発明に係る表示装置では、前記回転防止部材は、摩擦によって回転防止力を発生する。これにより、簡易な構成により、表示画面を所望の位置に固定することができる。
【００２５】
本発明に係る表示装置では、前記回転防止部材は、前記第２の回転軸において前記摩擦による回転防止力を発生する。これにより、簡易な構成により、表示画面を所望の位置に固定することができる。
【００２６】
ここで、請求項に記載されている構成要素と実施例における構成要素との対応関係を示す。表示部材はＬＣＤ表示部材３に、アーム部材は第１のアーム部材５３及び／又は第３のアーム部材５７に、台部材はスタンド部材７の平板部材７１、アーム連結部材７３、及びバネ固定部材７７に、弾性部材は第１のコイルバネ７５１及び／又は第２のコイルバネ７５３に、ワイヤ部材は第１のワイヤー７５５及び／又は第２のワイヤー７５７に、それぞれ対応する。また、表示画面はＬＣＤ３１に、第１の回転軸は第３の水平軸部材５１９に、第２の回転軸は第５の水平軸部材７３９に、第１の端部は第１のコイルバネ７５１のフックｆ２と接続される第１のワイヤー７５５の端部及び／又は第２のコイルバネ７５３のフックｆ２と接続される第２のワイヤー７５７の端部に、第２の端部は第１のアーム部材５３のワイヤー固定部材５３７と接続される第１のワイヤー７５５の端部及び／又は第３のアーム部材５７のワイヤー固定部材５７７と接続される第２のワイヤー７５７の端部に、それぞれ対応する。
【００２７】
さらに、支持部材は第１のアーム部材５３及び／又は第３のアーム部材５７に、
連結部材は第１のワイヤー７５５及び／又は第２のワイヤー７５７に、それぞれ対応する。
【００２８】
さらに、回転防止部材は、摩擦部材８に対応する。
【発明を実施するための最良の形態】
【００２９】
本発明における表示装置の実施例を以下において説明する。
【実施例１】
【００３０】
1.  表示装置１の構成
本発明にかかるＬＣＤ（Liquid Crystal Display）表示装置１の構成を図１〜図８を用いて説明する。なお、図１〜図７では、ＬＣＤを内蔵する表示部については記載を省略している。また、内部機構が確認できるようにスタンド部材７のカバー、第１のアーム部材５３〜第４のアーム部材５９（後述）のカバー等、内部機構の視認を妨げる構成については記載を省略している。
【００３１】
図１は、ＬＣＤ表示装置１を前面側から見た斜視図である。ＬＣＤ表示装置１は、ＬＣＤ表示部材３、支持部材５、スタンド部材７及び摩擦部材８を有している。以下において、各構成について詳細に説明する。
【００３２】
1.1.  ＬＣＤ表示部材３
ＬＣＤ表示部材３の構成を図１に基づき説明する。ＬＣＤ表示部材３は、片面にＬＣＤ３１（図示せず）が設けられる部材である。ＬＣＤ表示部材３は、ＬＣＤ３１及びＬＣＤ連結部材３３を有している。ＬＣＤ連結部材３３は、ＬＣＤ固定部材３３１、１組のアーム連結部材３３３、及び第１の水平軸部材３３５を有している。
【００３３】
ＬＣＤ固定部材３３１は、片面に平板面を有し、当該平板面にＬＣＤ３１が固定される。１組のアーム連結部材３３３は、ＬＣＤ固定部材３３１に対して垂直に所定の間隔で対向して配置される。第１の水平軸部材３３５は、対向して配置される１組のアーム連結部材３３３の間を橋渡しするように配置される。
【００３４】
1.2.  支持部材５
支持部材５の構成を図２に基づき説明する。図２は、図１のＬＣＤ表示装置１を背面側から見た斜視図である。支持部材５は、第１の水平軸部材３３５を中心にＬＣＤ表示部材３を回転可能に保持する部材である。
【００３５】
支持部材５は、回動連結部材５１、第１のアーム部材５３、第２のアーム部材５５、第３のアーム部材５７、及び第４のアーム部材５９を有している。
【００３６】
回動連結部材５１は、水平部５１１及び対向して配置される垂直部５１３、５１５を有している。回動連結部材５１は、水平部５１１及び垂直部５１３、５１５により形成されるコの字形状を有している。回動連結部材５１は、水平部５１１がＬＣＤ表示部材３のＬＣＤ固定部材３３１に近くなるように配置される。また、回動連結部材５１の垂直部５１３、５１５は、第１の水平軸部材３３５を貫通させるための貫通孔を有している。回動連結部材５１は、第１の水平軸部材３３５を中心に、当該第１の水平軸部材３３５の周りを回転可能なようにアーム連結部材３３３と接続される。
【００３７】
さらに、回動連結部材５１は、垂直部５１３、５１５の間を橋渡しするように配置される第２の水平軸部材５１７及び第３の水平軸部材５１９を有している。
【００３８】
図２において、第２のアーム部材５５及び第４のアーム部材５９を取り除いた状態を図３に示す。さらに、図３に基づく背面図を図４に示す。
【００３９】
図４に示すように、第１のアーム部材５３は、水平部５３１（図５参照）、対向して配置される垂直部５３３、５３５及びワイヤー固定部材５３７を有している。第１のアーム部材５３は、水平部５３１及び垂直部５３３、５３５により形成されるコの字形状を有している。第１のアーム部材５３は、垂直部５３３、５３５の一端に、第３の水平軸部材５１９を貫通させるための貫通孔を有している。第１のアーム部材５３は、第３の水平軸部材５１９を介して、回動連結部材５１と接続される。これにより、第１のアーム部材５３は、当該第３の水平軸部材５１９の周りを回転可能となる。
【００４０】
ワイヤー固定部材５３７は、垂直部５３３に設けられている。また、ワイヤー固定部材５３７は、水平部５３１及び垂直部５３３、５３５により形成されるコの字形状の内部空間側に突出した突起形状を有している。
【００４１】
第３のアーム部材５７についても、第１のアーム部材５３と同様である。
【００４２】
図４のＰ−Ｐ断面を有する前下方斜視断面図を図５に示す。第２のアーム部材５５は、水平部５５１及び対向して配置される垂直部５５３（図示せず）、５５５を有している。第２のアーム部材５５は、水平部５５１及び垂直部５５３、５５５により形成されるコの字形状を有している。
【００４３】
第２のアーム部材５５は、垂直部５５３、５５５の一端に、第２の水平軸部材５１７を貫通させるための貫通孔を有している。第２のアーム部材５５は、第２の水平軸部材５１７を介して、回動連結部材５１と接続される。これにより、第２のアーム部材５５は、当該第２の水平軸部材５１７の周りを回転可能となる。
【００４４】
第４のアーム部材５９についても、第２のアーム部材５５と同様である。
【００４５】
また、第１のアーム部材５３の水平部５３１及び第２のアーム部材５５の水平部５５１が、互いに外側となるように対向して配置される。さらに、第１のアーム部材５３の垂直部５３５に対して第２のアーム部材５５の垂直部５５５が対向して配置される。なお、図５には示されていないが、第１のアーム部材５３の垂直部５３３に対して第２のアーム部材５５の垂直部５５３が対向して配置される。このため、図３に示すように、対向して配置された第１のアーム部材５３及び第２のアーム部材５５によって内部空間Ｓ１が形成される。内部空間Ｓ１には、電源配線９１及び干渉防止シート９５が収められる。
【００４６】
第３のアーム部材５７及び第４のアーム部材５９についても、第１のアーム部材５３及び第２のアーム部材５５と同様である。ただし、第３のアーム部材５７及び第４のアーム部材５９によって形成される内部空間Ｓ３（図３参照）には、モニタ配線９３及び干渉防止シート９７が収められる。
【００４７】
1.3.  スタンド部材７
スタンド部材７の構成を図１に基づき説明する。スタンド部材７は、第１のアーム部材５３及び第３アーム部材５７を第５の水平軸部材７３９を中心に回転可能に保持する部材である。
【００４８】
スタンド部材７は、平板部材７１、アーム連結部材７３、ＬＣＤ位置調節部材７５、及びバネ固定部材７７を有している。
【００４９】
アーム連結部材７３は、垂直部７３３、７３５、第４の水平軸部材７３７及び第５の水平軸部材７３９を有している。垂直部７３３、７３５は、平板部材７１に対して垂直に所定の間隔で対向して配置される。第４の水平軸部材７３７及び第５の水平軸部材７３９は、垂直部７３３、７３５の間を橋渡しするように配置される。
【００５０】
ＬＣＤ位置調節部材７５は、第１のコイルバネ７５１、第２のコイルバネ７５３、第１のワイヤー７５５、及び第２のワイヤー７５７を有している。バネ固定部材７７は、平板部材７１に対して垂直に配置される垂直部７７１及び垂直部７７１の先端に設けられる水平部７７３を有している。
【００５１】
図４に示すように、第１のアーム部材５３及び第３のアーム部材５７は、それぞれ、垂直部５３３、５３５、及び垂直部５７３、５７５の第３の水平軸部材５１９と接続される一端とは異なる他端において、第５の水平軸部材７３９を貫通させるための貫通孔を有している。第１のアーム部材５３及び第３のアーム部材５７は、第５の水平軸部材７３９を介して、アーム連結部材７３と接続される。これにより、第１のアーム部材５３及び第３のアーム部材５７は、当該第５の水平軸部材７３９の周りを回転可能となる。
【００５２】
第２のアーム部材５５及び第４のアーム部材５９についても、同様に、第４の水平軸部材７３７を介して、アーム連結部材７３と接続される。これにより、第２のアーム部材５５及び第４のアーム部材５９は、当該第４の水平軸部材７３７の周りを回転可能となる。
【００５３】
図５に示すように、第１のコイルバネ７５１は、両端部にフックｆ１、ｆ２を有している。フックｆ１は、バネ固定部材７７の水平部７７３に設けられている孔と係合し、第１のコイルバネ７５１を所定の位置に配置する。フックｆ２は、第１のワイヤー７５５の一端と接続され、第１のコイルバネ７５１の弾性力を第１のワイヤー７５５を介して第１のアーム部材５３に伝達する。
【００５４】
第１のワイヤー７５５は、一端において第１のコイルバネ７５１のフックｆ２と接続され、第５の水平軸部材７３９、第４の水平軸部材７３７を介して、他端において第１のアーム部材５３の垂直部５３３に設けられたワイヤー固定部材５３７と接続される。これにより、第１のワイヤー７５５は、第１のコイルバネ７５１と第１のアーム部材５３とを連結する。
【００５５】
なお、第１のワイヤー７５５の一端と第１のコイルバネ７５１のフックｆ２との接続は、第１のワイヤー７５５の一端をループ状とした後、所定の位置でカシメ止めすることによってループを形成し、形成したループに、フックｆ２を引っかけることによって達成している。また、第１のワイヤー７５５の他端と第１のアーム部材５３のワイヤー固定部材５３７との接続は、第１のワイヤー７５５の他端をループ状とした後、所定の位置でカシメ止めすることによってループを形成し、形成したループに、ワイヤー固定部材５３７を引っかけることによって達成している。
【００５６】
第２のワイヤー７５７も、同様に、一端において第２のコイルバネ７５３と接続され、第５の水平軸部材７３９、第４の水平軸部材７３７を介して、他端において第３のアーム部材５７の垂直部５７３に設けられたワイヤー固定部材５７７と接続される。これにより、第２のワイヤー７５７は、第２のコイルバネ７５３と第３のアーム部材５７とを連結する。
【００５７】
なお、第４の水平軸部材７３７は、第１のワイヤー７５５及び第２のワイヤー７５７と接する部分に、スリーブ状のワイヤー受け７３７Ｕを有している。同様に、第５の水平軸部材７３９は、スリーブ状のワイヤー受け７３９Ｕを有している。ワイヤー受け７３７Ｕ、７３９Ｕは、第４の水平軸部材７３７及び第５の水平軸部材７３９において各ワイヤーの位置がずれないように、また、各ワイヤーがスムーズに移動できるように設けられるものである。
【００５８】
さらに、バネ固定部材７７の水平部７７３は、第１のコイルバネ７５１及び第２のコイルバネ７５３のフックｆ１とそれぞれ係合する孔を有している。第１のコイルバネ７５１及び第２のコイルバネ７５３は、フックｆ１をバネ固定部材７７の水平部７７３に設けられた孔と係合させることによって、バネ固定部材７７を介して平板部材７１に固定される。
【００５９】
1.4.  摩擦部材８
摩擦部材８の構成を図２に基づき説明する。摩擦部材８は、外側摩擦板８１及び内側摩擦板８３を有している。外側摩擦板８１及び内側摩擦板８３は、それぞれ第５の水平軸部材７３９を貫通するための貫通孔を有している。１組の外側摩擦板８１及び内側摩擦板８３は、第５の水平軸部材７３９に貫通した状態で、第５の水平軸部材７３９の先端に設けられている摩擦板固定部７３９Ｔとアーム連結部材７３の垂直部７３３との間に配置される。なお、外側摩擦板８１は摩擦板固定部７３９Ｔ側に、内側摩擦板８３は垂直部７３３側に配置される。
【００６０】
外側摩擦板８１と、内側摩擦板８３とが接する面に摩擦力が発生する。この摩擦力を一助として、ＬＣＤ３１を所定の位置に固定する。
【００６１】
2.  表示装置１の動作
表示装置１の動作の概要について、図６を用いて説明する。図６においては、ＬＣＤ３１の記載は省略している。また、ＬＣＤの自重Ｗは、ＬＣＤ固定部材３３１の中心点に作用するものとする。
【００６２】
第１のアーム部材５３は、第５の水平軸部材７３９を中心とした回転が可能である。また、第２のアーム部材５５は、第４の水平軸部材７３７を中心とした回転が可能である。さらに、第１のアーム部材５３及び第２のアーム部材５５は、第２の水平軸部材５１７〜第５の水平軸部材７３９に接続されており、平行リンクを形成している。なお、図６には示されていないが、第３のアーム部材５７及び第４のアーム部材５９についても同様である。
【００６３】
ＬＣＤの自重Ｗが、矢印ａ１方向へ作用する。ＬＣＤの自重Wのために、第１のワイヤー７５５には、ワイヤー固定部材５３７の位置において、張力Ｔが、矢印ａ３方向へ作用する。よって、第１のアーム部材５３には、ワイヤー固定部材５３７の位置において、引っ張り力Ｆが、矢印ａ３とは反対の方向の矢印ａ５方向へ作用する。引っ張り力Ｆは、大きさは張力Ｔと同じであり、また、作用する方向はワイヤー固定部材５３７の位置における張力Ｔが作用する方向とは反対となる力である。
【００６４】
また、第１のワイヤー７５５には、第１のコイルバネ７５１のフックｆ２との接続部において、張力Ｔが、矢印ａ７方向へ作用する。よって、第１のコイルバネ７５１には、フックｆ２の位置において、引っ張り力Ｐが、矢印ａ７とは反対の方向の矢印ａ９方向へ作用する。引っ張り力Ｐは、大きさは、張力Ｔと同じ大きさであり、また、作用する方向はフックｆ２の位置における張力Ｔが作用する方向とは反対となる力である。
【００６５】
以上より、第１のアーム部材５３については、ＬＣＤの自重Ｗに基づく第５の水平軸部材７３９を中心とする反時計回りの回転Ｎが生ずる。一方、第１のアーム部材５３について、引っ張り力Ｆに基づく第５の水平軸部材７３９を中心とする時計回りの回転Ｍが生ずる。つまり、第１のワイヤー７５５は、第１のコイルバネ７５１の弾性力に基づく第５の水平軸部材７３９を中心とする第１のアーム部材５３の回転Ｍと、ＬＣＤの自重Ｗに基づく第５の水平軸部材７３９を中心とする第１のアーム部材５３の回転Ｎとが対向するように、第１のコイルバネ７５１と第１のアーム部材５３とを連結する。
【００６６】
本実施例においては、摩擦部材８は、第１のコイルバネ７５１の弾性力に基づく第５の水平軸部材７３９を中心とする第１のアーム部材５３の回転Ｍと、ＬＣＤの自重Ｗに基づく第５の水平軸部材７３９を中心とする第１のアーム部材５３の回転Ｎとの不均衡を是正する摩擦力を発生させているので、ＬＣＤ３１を所定の位置に固定することが可能となる。
【００６７】
［その他の実施例］
（１）コイルバネ（形式）
前述の実施例１においては、弾性部材として第１のコイルバネ７５１、第２のコイルバネ７５３を示したが、弾性力を生ずるものであれば、例示のものに限定されない。例えば、油圧式バネ、空気圧式バネ、コンストンバネ、ネジリコイルバネ、ゴム等であってもよい。
【００６８】
（２）コイルバネ（本数）
前述の実施例１においては、弾性部材として２本の第１のコイルバネ７５１及び第２のコイルバネ７５３を示したが、一又は複数の弾性部材であれば、例示のものに限定されない。例えば、１本のコイルバネによって、弾性部材を構成するようにしてもよい。この場合、実施例１のごとく第１のワイヤー７５５、第２のワイヤー７５７の２本のワイヤーを用いる場合は、図７Ａに示すように、コイルバネの一端に２本のワイヤーを接続するようにすればよい。
【００６９】
（３）コイルバネ（位置）
前述の実施例１においては、弾性部材としての第１のコイルバネ７５１及び第２のコイルバネ７５３を台部材に設けることとしたが、例示のものに限定されない。例えば、各コイルバネをＬＣＤ固定部材３３に設けるようにしてもよい。
【００７０】
（４）ワイヤー（形式）
前述の実施例１においては、連結部材として第１のワイヤー７５５、第２のワイヤー７５７を示したが、弾性部材と支持部材とを連結するものであれば、例示のものに限定されない。例えば、化学繊維、プラスチック、鎖、天然繊維等であってもよい。
【００７１】
（５）ワイヤー（本数）
前述の実施例１においては、連結部材として２本の第１のワイヤー７５５及び第２のワイヤー７５７を示したが、一又は複数の連結部材であれば、例示のものに限定されない。例えば、１本のワイヤーによって、連結部材を構成するようにしてもよい。この場合、実施例１のごとく第１のコイルバネ７５１、第２のコイルバネ７５３の２本のコイルバネを用いる場合は、図７Ｂに示すように、ワイヤーの一端に、２本のコイルバネの一端を接続するようにすればよい。
【００７２】
（６）ワイヤー受け
前述の実施例１においては、ワイヤー受け７３７U、７３９Ｕとして、スリーブ状のものを例示した。しかし、第４の水平軸部材７３７及び第５の水平軸部材７３９において各ワイヤーの位置がずれないように、また、各ワイヤーがスムーズに移動できるようにするものであれば例示のものに限定されない。例えば、回転フリー軸、プーリーを用いるようにしてもよい。
【００７３】
（７）アーム部材
前述の実施例１においては、第１のアーム部材５３〜第４アーム部材５９は、いずれもコの字形状を有するものとした。しかし、連結部材の一端を固定し、当該連結部材の一部を収納できるものであれば、例示のものに限定されない。例えば、各アーム部材は、アーチ形状を有するものであってもよい。このように、各アーム部材のデザインを自由な形状とすることによって、表示装置の新たなデザインの創造が可能となる。
【００７４】
（８）摩擦部材８（構成）
前述の実施例１においては、摩擦部材８は、外側摩擦板８１及び内側摩擦板８３により構成されるとしたが、第１のアーム部材５３〜第４アーム部材５９が回転しようとする際に、当該第１のアーム部材５３〜第４アーム部材５９の回転を防止する方向へ回転防止力を発生するものであれば例示のものに限定されない。例えば、ラッチ、回転ダンパー等であってもよい。
【００７５】
（９）摩擦部材８（配置場所）
前述の実施例１においては、摩擦部材８は、第５の水平軸部材７３９に配置し、第１のアーム部材５３〜第４アーム部材５９の回転を防止する方向へ摩擦力を発生するものとしたが、当該回転を防止する回転防止力を発生するものであれば例示の配置場所に限定されない。例えば、第２の水平軸部材５１７、第３の水平軸部材５１９、第４の水平軸部材７３７に配置するようにしてもよい。
【００７６】
また、摩擦部材８の配置場所は１箇所に限定される必要はなく、複数箇所に配置することによって摩擦力を発生するようにしてもよい。
【００７７】
（１０）干渉防止シート
前述の実施例１においては、電源配線やモニター配線とワイヤーとが干渉することを防止することを目的として干渉防止シートを設けた。しかし、当該干渉防止シートを設けなくともよい。また、干渉防止シートとして使用するものについては、電源配線やモニター配線とワイヤーとの干渉を防止するものであれば、プラスチック製のシート以外のものであってもよい。
【００７８】
（１１）偏心カム
前述の実施例１においては、第１のコイルバネ７５１及び第２のコイルバネ７５３が同じように動作するように、第１のワイヤー７５５及び第２のワイヤー７５７の長さを同じとし、また、第１のアーム部材５３におけるワイヤー固定部材５３７の位置、及び、第３のアーム部材５７におけるワイヤー固定部材５７７の位置を同じ位置とした。しかし、第１のコイルバネ７５１及び／又は第２のコイルバネ７５３の動作が異なるような構成としてもよい。例えば、図８Ａ実施例に１におけるスリーブ状のワイヤー受け７３９Ｕを偏心カム形状としてもよい。これにより、偏心カムの設計によって、所定の状態から一方のコイルバネを動作させるようにすることが可能となる。
【００７９】
また、図８Ｂに示すように、３本のワイヤー部材を設けて、それぞれに偏心カムを作用させるようにしてもよい。
【００８０】
さらに、コイルバネを複数設ける場合、各コイルバネの強さの値を違えるようにしてもよい。
【図面の簡単な説明】
【００８１】
【図１】本発明におけるＬＣＤ表示装置１の前面側から見た斜視図である。
【図２】図１のＬＣＤ表示装置１を背面側から見た斜視図である。
【図３】図２において、第２のアーム部材５５及び第４のアーム部材５９を取り除いた状態を示した図である。
【図４】図３に基づく背面図である。
【図５】図４のＰ−Ｐ断面を有する前下方斜視断面図である。
【図６】表示装置１の動作の概要を説明するための図である。
【図７】表示装置のその他の実施例を説明するための図であり、Ａはワイヤー部材が複数存在する場合を、Ｂはコイルバネが複数存在する場合を示す図である。
【図８】表示装置のその他の実施例を説明するための図であり、Ａはワイヤー部材が２本の場合、Ｂはワイヤー部材が３本の場合を示す図である。
【図９】従来の表示装置を示す図である。
【符号の説明】
【００８２】
１・・・ＬＣＤ表示装置
３・・・ＬＣＤ表示部材
５・・・支持部材
７・・・スタンド部材
８・・・摩擦部材
３１・・・ＬＣＤ
３３・・・ＬＣＤ連結部材
３３１・・・ＬＣＤ固定部材
３３３・・・アーム連結部材
３３５・・・第１の水平軸部材
５１・・・回動連結部材
５１１・・・水平部
５１３・・・垂直部
５１５・・・垂直部
５１７・・・第２の水平軸部材
５１９・・・第３の水平軸部材
５３・・・第１のアーム部材
５３１・・・水平部
５３３・・・垂直部
５３５・・・垂直部
５３７・・・ワイヤー固定部材
５５・・・第２のアーム部材
５５１・・・水平部
５５３・・・垂直部
５５５・・・垂直部
５７・・・第３のアーム部材
５７１・・・水平部
５７３・・・垂直部
５７５・・・垂直部
５７７・・・ワイヤー固定部材
５９・・・第４のアーム部材
５９１・・・水平部
５９３・・・垂直部
５９５・・・垂直部
７１・・・平板部材
７３・・・アーム連結部材
７３３・・・垂直部
７３５・・・垂直部
７３７・・・第４の水平軸部材
７３７Ｕ・・・ワイヤ受け
７３９・・・第５の水平軸部材
７３９Ｕ・・・ワイヤ受け
７３９Ｔ・・・摩擦板固定部
７５・・・ＬＣＤ位置調節部材
７５１・・・第１のコイルバネ
７５３・・・第２のコイルバネ
７５５・・・第１のワイヤー
７５７・・・第２のワイヤー
ｆ１・・・フック
ｆ２・・・フック
７７・・・バネ固定部材
７７１・・・垂直部
７７３・・・水平部
８１・・・外側摩擦板
８３・・・内側摩擦板
９１・・・電源配線
９３・・・モニタ配線
９５・・・干渉防止シート
９７・・・干渉防止シート
【図１】
2008256779.tif 000003
【図２】
2008256779.tif 000004
【図３】
2008256779.tif 000005
【図４】
2008256779.tif 000006
【図５】
2008256779.tif 000007
【図６】
2008256779.tif 000008
【図７】
2008256779.tif 000009
【図８】
2008256779.tif 000010
【図９】
2008256779.tif 000011